(57)【要約】      （修正有）【課題】さまざまな使用方法により健康効果の期待できる、健康まくらの角度変更器具及び健康まくらを提供する。【解決手段】まくらを着脱自在に載置可能であり、載置されたまくらの角度を調整することができる、健康まくらの角度変更器具５０であって、まくらが載置される板状の器具本体５１と、載置されたまくら本体を保持する、器具本体の左右両側に取り付けられたまくら保持部５２、５３と、載置されたまくらの傾斜角度の調整に用いられる、まくら角度調整部６０と、を備え、まくら角度調整部は、器具本体の上面側に設置されている。まくら角度調整部は、基礎部材６１と、先部材６２とを備え、基礎部材は、略半円板形の部材であり、器具本体の上面に、倒立可能に取り付けられ、先部材は、略円板形状の部材であり、略軸形状の金具６２ａを用いて、基礎部材に偏心回転可能に取り付けられている。【選択図】図３
0003215041.tif 000002
【実用新案登録請求の範囲】
【請求項１】
まくらを着脱自在に載置可能であり、載置されたまくらの角度を調整することができる、健康まくらの角度変更器具であって、
まくらが載置される板状の器具本体と、
載置されたまくら本体を保持する、前記器具本体の左右両側に取り付けられたまくら保持部と、
載置されたまくらの傾斜角度の調整に用いられる、まくら角度調整部と、を備えており、
前記まくら角度調整部は、前記器具本体の上面側に設置されていることを特徴とする健康まくらの角度変更器具。
【請求項２】
前記器具本体の傾斜角度の調整に用いられる、器具本体角度調整部をさらに備えており、
前記器具本体角度調整部は、前記器具本体の下面側に設置されていることを特徴とする請求項１に記載の健康まくらの角度変更器具。
【請求項３】
前記器具本体角度調整部は、
まくら使用状態で、使用者の首寄りに位置する前記器具本体の下端縁側の高さが、頭頂部寄りに位置する上端縁側の高さよりも高くなるように角度調整する第１器具本体角度調整部と、
まくら使用状態で、前記器具本体の上端縁側の高さが、前記下端縁側の高さよりも高くなるように角度調整する第２器具本体角度調整部とのうちの、
いずれか一方である、ことを特徴とする請求項２に記載の健康まくらの角度変更器具。
【請求項４】
請求項１から請求項３のいずれか一項に記載の健康まくらの角度変更器具に前記枕本体が設置された健康まくらであり、
前記まくら本体は、中板部材と、中板部材を挟んで両側に配置された支持層を備える三層構造を有するものであり、
少なくとも一方側の支持層は、中央に円形開口部を有し、円形開口部は中板へ近づくにつれ径が小さくなるテーパー状であることを特徴とする健康まくら。
【考案の詳細な説明】
【技術分野】
【０００１】
本考案は、健康効果の期待できる健康まくらの角度変更器具及び健康まくらに関する。
【背景技術】
【０００２】
人の体にはつぼが多数存在し、これらのつぼを習慣的に刺激することは健康に大変良い。人の頭部にも、つぼは多数存在しており、特に耳周辺には健康に効くと言われる多くのつぼが集中している。
【０００３】
適度なうつ伏せ寝は健康によいとされている。うつ伏せの体勢をとることで腹式呼吸が容易となるため質の高い睡眠が得られ、いびきの軽減や睡眠時無呼吸症候群の改善も期待できる。
ところが、袋体にパイプ素材やわた素材、そばがら、ウレタンフォームなどの充填材が充填された一般的なまくらをうつ伏せ寝に用いると、息苦しくなる場合があり、また体勢持続が難しい場合がある。
【０００４】
また、接骨院やマッサージ店で使用される馬蹄型のまくらのように、うつ伏せ寝用のまくらが存在する。
ところが、馬蹄型のまくらなど、従来のうつ伏せ寝用のまくらは、人の頭部を支持する機能を有するだけであり、まくらを使用することによって健康効果が得られるものではない。
【０００５】
また、まくらの高さを変更できる枕構造が提案されている（特許文献１参照）。
ところが、特許文献１の枕構造のまくらは、高さを調整するための構造が複雑である。
【先行技術文献】
【特許文献】
【０００６】
【特許文献１】特開２０１６―１４０７３８号公報
【考案の概要】
【考案が解決しようとする課題】
【０００７】
本考案は、さまざまな使用方法により健康効果の期待できる、健康まくらの角度変更器具及び健康まくらを提供することを目的とする。
【課題を解決するための手段】
【０００８】
本考案は、まくらを着脱自在に載置可能であり、載置されたまくらの角度を調整することができる、健康まくらの角度変更器具であって、まくらが載置される板状の器具本体と、載置されたまくら本体を保持する、前記器具本体の左右両側に取り付けられたまくら保持部と、載置されたまくらの傾斜角度の調整に用いられる、まくら角度調整部と、を備えており、前記まくら角度調整部は、前記器具本体の上面側に設置されていることを特徴とする。
【０００９】
前記器具本体の傾斜角度の調整に用いられる、器具本体角度調整部をさらに備えており、前記器具本体角度調整部は、前記器具本体の下面側に設置されていることが望ましい。
【００１０】
前記器具本体角度調整部は、まくら使用状態で、使用者の首寄りに位置する前記器具本体の下端縁側の高さが、頭頂部寄りに位置する上端縁側の高さよりも高くなるように角度調整する第１器具本体角度調整部と、まくら使用状態で、前記器具本体の上端縁側の高さが、前記下端縁側の高さよりも高くなるように角度調整する第２器具本体角度調整部とのうちの、いずれか一方であることが望ましい。
【００１１】
別の本考案は、上述の健康まくらの角度変更器具に前記枕本体が設置された健康まくらであり、前記まくら本体は、中板部材と、中板部材を挟んで両側に配置された支持層を備える三層構造を有するものであり、少なくとも一方側の支持層は、中央に円形開口部を有し、円形開口部は中板へ近づくにつれ径が小さくなるテーパー状であることを特徴とする。
【考案の効果】
【００１２】
本考案は、まくら角度調整部を備えているので、本考案のまくら角度変更器具を用いれば、まくらの角度を自在に変更できる。まくらの状態は、使用者によって、まくらを高くしたり、低くしたり、斜めにしたりするなど、人それぞれ好みがあるが、本願考案のまくら角度調整器具を用いれば、まくら使用者の好みに応じて、まくらの角度を自在に変更できるので便利である。
また、器具本体角度調整部を備えているので、器具本体の角度を変更することで、まくらの角度をさらに多様な角度に変更することができる。
踊る人が前に進んで歩くだけでなく後歩きして後退するなど、様々な動きをするように、通常の生活においても、様々な動きや姿勢をとることが健康によい場合がある。この点、本考案のまくら角度調整部を用いれば、まくらの角度を通常とは異なる様々な状態にすることができるので、まくら使用者の頭部や首筋から肩のあたりに刺激を与えることができ、健康効果を期待できる。
本考案の健康まくらによれば、頭頂部を円形開口部である窪みにはめることができ、そのとき耳は窪みの外側へ出た状態にすることができ、帽子をかぶったような状態になるなど、とても気分の良い楽を実現できる。
また、横向きになることも容易であり、楽な状態で本を読んだり、食事をしたり、手紙を書いたりすることができる。
さらに、本考案の健康まくらによれば、傾斜角度を小さくした状態でうつ伏せ寝をすることも可能であり、鼻の穴が広がり、呼吸が楽になり、頭に酸素が行き渡る、いわゆるリラックス効果を期待できる。
【図面の簡単な説明】
【００１３】
【図１】健康まくらのまくら本体を示す分解斜視図である。
【図２】まくら本体及びそのカバーを示す斜視図である。
【図３】健康まくらの角度変更器具を示す斜視図である。
【図４】健康まくらの角度変更器具を示す正面図である。
【図５】健康まくらの角度変更器具の使用状態を説明する説明図である。
【図６】（A）は、別の実施形態の角度変更器具の下面側を示す斜視図であり、（B）は、使用状態の一例を示す一方側からの側面図であり、（C）は、他の使用状態における一方側からの側面図である。
【図７】（A）は、さらに別の実施形態の角度変更器具の下面側を示す斜視図であり、（B）は、使用状態の一例を示す一方側からの側面図であり、（C）は、他の使用状態における一方側からの側面図である。
【図８】さらに別の使用状態における一方側からの側面図である。
【考案を実施するための形態】
【００１４】
本考案の健康まくらは、図１に示されるまくら本体１を有する。まくら本体１は、中板部材１０と、中板部材１０を挟んで両面に配置される支持層２０，３０と、図２に示されるカバー４０とを備えている。
【００１５】
中板部材１０は、矩形板状の中板１１と、左右両側の側板１２，１３とを備えている。材質や大きさは問わないが、例えば、厚さ数ミリメートル程度のベニヤ板やプラスチック製の板材を使用することができる。
中板１１は、その中央部に形成された円形の貫通孔１１ａと、側板１２，１３が配置された中板１１の一方面側に取り付けられた滑り止め１１ｂとを備えている。
【００１６】
中板１１を挟んで両面に備える支持層２０，３０は、弾性のある素材であれば材質や大きさは多様なものを使用できるが、例えば、中板１１と略同じ大きさであり、数センチメートル程度の厚みのある、スポンジや低反発ポリウレタンフォーム等を使用することができる。
【００１７】
中板１１の一方の面側の支持層２０は、図１に示されるように、中央に円形開口部２１を有する。円形開口部２１は、テーパー形状であり、中板１１へ近づくに連れて径が小さくなる状態に配置される。配置された支持層２０は、中板１１に取り付けられた滑り止め１１ｂと接するので、取付け位置からのズレが防止される。
滑り止め１１ｂとしては例えば、いわゆる面ファスナーの一方側の部材である、起毛状の突起が形成され部材を挙げることができる。
なお、支持層２０，３０が接する面には、滑り止め１１ｂ以外にも、さらに滑り止めを取り付けてもよい。追加の滑り止めを設けることで、支持層２０，３０のずれがより確実に防止される。
また、支持層２０，３０については、表裏を反転させて中板１１へ近づくに連れて径が大きくなる状態に配置することも可能である。また、なお、円形開口部２１を設けるために支持層２０からくり抜かれた部材（不図示）を円形開口部２１の中に配置してもよい。円形開口部２１にくり抜き部材を配置すれば、頭部を支持層２０に強く押し付けても、硬い中板１１に当たることがない。くり抜き部材は、程よい弾性を得るため固定しないことが望ましい。
【００１８】
中板１１の他方の面側の支持層３０は、図１に示されるように、中央に円形開口部３１を有する。円形開口部３１は、テーパー形状であり、中板１１へ近づくに連れて径が小さくなる状態に配置される。配置された支持層３０の円形開口３１は、中板１１の中央の貫通孔１１ａと連通する状態になる。なお、反転させて中板１１へ近づくに連れて径が大きくなる状態に配置することも可能である。
【００１９】
カバー４０は、図２に示されるように、中板部材１０及び支持層２０，３０を覆うものである。また、カバー４０は、中板部材１０及び支持層２０，３０に対して取り外し可能であり、汚れた場合も容易に洗濯することができる。
【００２０】
このようなまくら本体１を用いれば、うつ伏せ寝の際、いずれの支持層２０，３０の面を上にした状態で使用しても、開口部２１，３１に目、鼻、口が納まり、楽に呼吸できる。また、横向き寝の際には、開口部２１，３１に耳が収納され、耳周辺のつぼを刺激することができる。
【００２１】
また、本考案の健康まくらは、図３（あるいは図６又は図７）に示される、健康まくらの角度変更器具（以下、単に角度変更器具と称する）５０を備えている。
【００２２】
［実施形態１］
図３に示される角度変更器具５０は、矩形板状の器具本体５１と、器具本体５１の左右両側に取り付けられたまくら保持部５２，５３と、器具本体５１の上面側に設置されたまくら角度調整部６０とを備えており、器具本体５１の上側にまくら本体１を着脱自在に載置できるようになっている。
【００２３】
まくら保持部５２，５３は、蝶番などで構成された取付け具５２ａ，５３ａを用いて、器具本体５１に対して回動可能に取り付けられており、まくらを保持する保持位置（図４において実線で示される位置）と、保持が解除される解除位置とに、回動可能である。また、取付け具５２ａ，５３ａは、まくら保持部５２，５３を解除位置側から保持位置側に向得て付勢するバネ５４（取付け具５３ａのバネは不図示）を備えている。したがって、角度変更器具５０に載置されたまくら本体１は、両まくら保持部５２，５３によって挟み付けられる状態で確実に保持される。
【００２４】
まくら角度調整部６０は、図３に示されるように、載置されたまくら本体１の傾斜角度の調整に用いられるものであり、器具本体５１の上面側に設置されている。
まくら角度調整部６０は、器具本体５１に取り付けられた基礎部材６１と、基礎部材６１に取付けられた先部材６２とを備えている。
基礎部材６１は、外形が略半円板形の部材であり、器具本体５１の上面に、蝶番などで構成された取付け具６１ａ（図４参照）を用いて倒立可能に取り付けられている。図５（Ａ）に示される状態は、器具本体５１に対して倒された状態であり、図５（Ｂ）及び図５（Ｃ）に示される状態は、器具本体５１に対して立てられた状態である。
また、先部材６２は、略円板形状の部材であり、略軸形状の金具６２ａを用いて、基礎部材６１に回転可能に取り付けられている。軸形状の金具６２ａは、先部材６２の回転軸を構成するものであり、しかも、円板形状の先部材６２の中心位置からズレた偏心位置に配置されている（図５（Ａ）参照）。この先部材６２を回転させると、先部材６２は、図５（Ｂ）に示される低位置と、図５（Ｃ）に示される高位置とに回動可能である。低位置とは、基礎部材６１の先端部６１ｔ（図４参照）からの突出高さが小さい状態（図５（Ｂ）ではほとんど突出していない状態）であり、高位置とは、基礎部材６１の先端部６１ｔからの突出高さが高い状態である。
【００２５】
したがって、まくら角度調整部６０の基礎部材６１を倒した状態にすると（図５（Ａ）参照）、まくら本体１は、略水平の状態で、角度変更器具５０に載置される。
このように載置されたまくら本体１であれば、通常のまくらと同様に使用可能であり、しかもリラックス効果を期待できる。つまり、上述したまくら本体１であれば、頭頂部を円形開口部である窪みにはめることができ、そのとき耳は窪みの外側へ出た状態にすることができ、帽子をかぶったような状態になるなど、とても気分の良い楽を実現できる。また、通常のうつ伏せ寝も可能であり、しかも横向きになることも容易であり、楽な状態で本を読んだり、食事をしたり、手紙を書いたりすることができる。
【００２６】
また、まくら角度調整部６０の基礎部材６１が立てられ、しかも先部材６２が低位置のとき（図５（Ｂ）参照）、まくら本体１は、緩やかな傾斜角度に傾斜する状態で、角度変更器具５０に載置される。
このように載置されたまくら本体１であれば、傾斜角度を小さくした状態でうつ伏せ寝をすることも可能であり、鼻の穴が広がり、呼吸が楽になり、頭に酸素が行き渡る、いわゆるリラックス効果を期待できる。
【００２７】
さらに、まくら角度調整部６０の基礎部材６１が立てられ、しかも先部材６２が高位置のとき（図５（Ｃ）参照）、まくら本体１は、より急な傾斜角度に傾斜する状態で、角度変更器具５０に載置される。
このように載置されたまくら本体１であれば、傾斜角度を大きくした状態で、例えば休憩等の目的で横になるような場合に用いることができ、楽な状態で読書をしたり、テレビを見たりすることができる。
【００２８】
［実施形態２］
次に、別の実施形態の角度変更器具を説明する。
図６に示される角度変更器具７０は、図３に示される角度変更器具５０と比較すると、器具本体５１の下面側に取り付けられた器具本体角度調整部（第１器具本体角度調整部）７５を備えている点が異なる。これ以外の構成は、図３に示される角度変更器具５０と同様であるので、ここでは説明を省略する。
器具本体角度調整部７５は、まくら使用状態で、枕使用者の首寄りに位置する、器具本体の下側面の下端縁に沿って配置された断面矩形の棒状の本体部材７６と、本端部材７６の左右両端部にそれぞれ取り付けられた高さ調整用の調整金具７７，７７とを備えている。
【００２９】
本体部材７６は、留具７６ａによって器具本体５１に着脱可能に取り付けられている。つまり、角度変更器具に器具本体角度調整部７５を取り付けると、まくら使用状態で、使用者の首寄りに位置する器具本体５１の下端縁の高さを、頭頂部寄りに位置する上端縁側の高さよりも高くなるように角度調整することができる。
【００３０】
調整金具７７は、本体部材７６に対して出没可能に取り付けられたボルトで構成されており、本体部材７６からのボルト頭部の突出高さが高い進出位置（図６（Ｂ）参照）と、本体部材７６からのボルト頭部の突出高さが低い後退位置（図６（Ｃ）参照）とに移動可能である。
【００３１】
したがって、調整器具７７を図６（Ｂ）に示されるように進出位置に移動させると、器具本体５１の傾斜角度を急な角度にすることができ、他方、調整器具７７を図６（Ｃ）に示されるように後退位置に移動させると、器具本体５１の傾斜角度を緩やかな角度にすることができる。なお、図６（Ｃ）に示されるように、通常は首寄りに位置する下端縁を頭頂部側に配置した反転状態で使用することで、さらに異なる角度に角度変更することが可能である。
【００３２】
このような器具本体角度調整部７５を備える角度変更器具７０であれば、器具本体５１の角度を変更することで、まくらの角度をさらに多様な角度に変更することができる。様々な動きや姿勢をとることは健康によい場合が少なくない。この点、本考案の角度変更器具７０を用いれば、まくらの角度を通常とは異なる様々な状態に変更することで、就寝時や休憩時の態勢や姿勢を様々な状態にすることができ、健康効果を期待できる。
【００３３】
［実施形態３］
次に、さらに別の実施形態の角度変更器具を説明する。
図７に示される角度変更器具８０は、図６に示される角度変更器具７０と比較すると、器具本体５１の下面側に器具本体角度調整部が設置されている点で共通するが、設置されている器具本体角度調整部の構成が異なる。これ以外の構成は、図６に示される角度変更器具７０と同様であるので、ここでは説明を省略する。
器具本体角度調整部（第２器具本体角度調整部）８５は、図７（Ａ）に示されるように、まくら使用状態で、枕使用者の首寄りに位置する、器具本体の下側面の下端縁に沿って配置された断面矩形の棒状の本体部材８６を備えている。
本体部材８６は、蝶番などで構成された取付け具８６ａを用いて、器具本体５１に対して倒立可能に取り付けられている。
図７（Ｂ）に示される状態は、器具本体５１に対して倒された状態であり、図８に示される状態は、器具本体５１に対して立てられた状態である。
【００３４】
したがって、本体部材８６を図７（Ｂ）に示されるように倒した状態にすると、器具本体５１の傾斜角度を相対的に緩やかな角度にすることができ、他方、本体部材を図８）に示されるように立てた状態にすると、器具本体５１の角度を相対多岐に急な角度にすることができる。
つまり、角度変更器具に器具本体角度調整部８５を取り付けると、まくら使用状態で、使用者の首寄りに位置する器具本体５１の下端縁の高さを、頭頂部寄りに位置する上端縁側の高さよりも高くなるように角度調整することができ（図７（Ｂ）参照）、しかも、まくら使用状態で、器具本体５１の上端縁の高さを、下端縁側の高さよりも高くなるように角度調整することも可能である（図８参照）。
【００３５】
このような器具本体角度調整部８５を備える角度変更器具８０であれば、器具本体５１の角度を変更することで、まくらの角度をさらに多様な角度に変更することができる。様々な動きや姿勢をとることは健康によい場合が少なくない。本考案の角度変更器具８０を用いれば、まくらの角度を通常とは異なる様々な状態に変更することで、就寝時や休憩時の態勢や姿勢を様々な状態にすることができ、健康効果を期待できる。
【００３６】
本考案は上記実施形態に限定されるものではなく、その趣旨を逸脱しない範囲において適宜変更可能であり、寝具としてのまくらの用途に限られるものではなく、例えば、本考案の健康まくらを頭頂部に載せて手で押さえると、頭頂部のつぼを刺激することができる等、体のさまざまなつぼを押すために使用することができる。
【符号の説明】
【００３７】
１        まくら本体
１０        中板部材
１１        中板
１１ａ      貫通孔
１１ｂ      滑り止め
１２，１３  側板
２０        支持層（一方の面）
２１        円形開口部 
３０        支持層（他方の面） 
３１        円形開口部 
４０        カバー 
５０        角度変更器具（第１実施形態）
５１        器具本体
５２，５３  まくら保持部
５２ａ，５３ａ  取付け具
５４        バネ
６０        まくら角度調整部
６１        基礎部材
６１ａ      取付け具
６１ｔ      先端部
６２        先部材
６２ａ      金具
７０        角度変更器具（第２実施形態）
７５        器具本体角度調整部（第１器具本体角度調整部）
７６        本体部材
７６ａ      留具
７７        調整金具
８０        角度変更器具（第３実施形態）
８５        器具本体角度調整部（第２器具本体角度調整部）
８６        本体部材
８６ａ      取付け具
【図１】
0003215041.tif 000003
【図２】
0003215041.tif 000004
【図３】
0003215041.tif 000005
【図４】
0003215041.tif 000006
【図５】
0003215041.tif 000007
【図６】
0003215041.tif 000008
【図７】
0003215041.tif 000009
【図８】
0003215041.tif 000010